(57)【要約】【課題】  便座・便蓋の着脱作業を容易に行うことができ、且つ便座と便蓋を分離させることなく便座の側面全体の拭き掃除を行うことができる便座装置を提供する。【解決手段】  開閉装置４０，５０を内蔵させた軸支部１２を有するケーシング１０と、開閉装置に基端部が固定されて先端部を軸支部の左右側面から突出させたヒンジピン６０と、ヒンジピン６０に装着可能で左右一対の便座装着アーム２２を有する便座２０と、ヒンジピン６０に装着可能であり左右一対の便蓋装着アーム３２を有する便蓋３０とを備えた便座装置において、一対の便座装着アーム２２の間に設けた空間部Ｑに軸支部１２及び便蓋装着アーム３２を配置し、ヒンジピン６０に便蓋及び便座を装着して便蓋を閉じた状態において便座装着アーム３２の外側側面の全体を露出させ、便座及び便蓋は、便座装着アーム２２及び便蓋装着アーム３２を連結した状態でヒンジピン６０から着脱可能とした。【選択図】  図３
2008148869.tif 000002
【特許請求の範囲】
【請求項１】
内部に開閉装置を内蔵させた軸支部を有するケーシングと、
前記開閉装置に基端部が固定されて先端部を前記軸支部の左右両側面から突出させた２本のヒンジピンと、
前記ヒンジピンに装着可能であり左右一対の便座装着アームを有する便座と、
前記ヒンジピンに装着可能であり左右一対の便蓋装着アームを有する便蓋と、
を備えた便座装置において、
前記一対の便座装着アームの間に空間部を設け、当該空間部に前記軸支部及び前記便蓋装着アームを配置してなり、前記ヒンジピンに前記便蓋及び便座を装着して便蓋を閉じた状態において前記便座装着アームの外側側面の全体を便座装置の側方に露出させてなり、
前記便座及び便蓋は、前記便座装着アーム及び便蓋装着アームを連結した状態で前記ヒンジピンから着脱可能としたことを特徴とする便座装置。
【請求項２】
前記ケーシングの側面と、便座装着アーム及び便蓋装着アームの外側側面を、略同一平面上に揃えたことを特徴とする請求項1記載の便座装置。
【請求項３】
前記便座及び便蓋は、前記ヒンジピンの軸方向にスライド可能な連結部材により前記便座装着アーム及び便蓋装着アームを連結可能であり、
前記連結部材に、前記便座及び便蓋を前記ヒンジピンから外した状態で、スライド移動を可能とする操作部を設け、当該操作部を操作することで前記便座装着アームから前記連結部材が抜け出て前記便座と便蓋の連結を解除させることを特徴とする請求項１又は２記載の便座装置。
【請求項４】
前記便座装着アームに、前記ヒンジピンを前記便座に格納する際に通過させる開口部を開閉する第一保持体を設け、
前記第一保持体は前記開口部を閉じて前記便座の前記ヒンジピンからの抜脱を規制してなり、前記開口部を開いて前記便座から前記ヒンジピンを抜脱可能な状態にする操作部を有することを特徴とする請求項１〜３のいずれか１項に記載の便座装置。
【請求項５】
前記ヒンジピンの下方を囲み、前記軸支部の側面に連設した壁体を備えたことを特徴とする請求項１〜４のいずれか１項に記載の便座装置。
【請求項６】
前記ヒンジピンの一部が前記ヒンジピンの回転に応じて前記ケーシングの内部に当接して、前記便座又は便蓋の開き過ぎ防止のストッパー機構となることを特徴とする請求項１〜５のいずれか１項に記載の便座装置。
【請求項７】
前記ケーシングに、前記ヒンジピンの一部が当接する抜け止め防止壁を設けたことを特徴とする請求項６記載の局部洗浄装置。
【発明の詳細な説明】
【技術分野】
【０００１】
本発明は、便座、便蓋の開閉装置を備えた便座装置に関する。
【背景技術】
【０００２】
洋式便器の便座、便蓋の開閉機構を備えた便座装置については、従来、様々な方式のものが開発されているが、便座、便蓋の開閉動作の中心となる部位に、ヒンジピン（軸）を着脱可能に保持する軸支部を設け、この軸支部に、ヒンジピンを保持したり、解除したりするための回転式受け部を設けた便座装置がある（例えば、特許文献１参照。）。
【０００３】
【特許文献１】特開２００４−６５５４３号公報
【発明の開示】
【発明が解決しようとする課題】
【０００４】
特許文献１の便座装置は、ヒンジピン（軸）の軸支部に近い位置に便座が、その外側に便蓋が装着される構成であり、便座の外側側面のうち回転中心にあたる部位は常に便蓋で覆われている。そのため、便座装置を拭き掃除する際に、便座装置の側面全体を拭くには便座と便蓋を分離させる必要があった。
【０００５】
また、便座、便蓋をケーシングから外す際に操作する操作体が便座と軸支部の間の狭い領域に設けられてるので、操作性に改善の余地があった。
【０００６】
本発明は、便座・便蓋の着脱作業を容易に行うことができ、且つ便座と便蓋を分離させることなく便座の側面全体の拭き掃除を行うことができる便座装置を提供することを目的とする。
【課題を解決するための手段】
【０００７】
上記課題を解決するために、本発明は、内部に開閉装置を内蔵させた軸支部を有するケーシングと、前記開閉装置に基端部が固定されて先端部を前記軸支部の左右両側面から突出させた２本のヒンジピンと、前記ヒンジピンに装着可能であり左右一対の便座装着アームを有する便座と、前記ヒンジピンに装着可能であり左右一対の便蓋装着アームを有する便蓋と、を備えた便座装置において、前記一対の便座装着アームの間に空間部を設け、当該空間部に前記軸支部及び前記便蓋装着アームを配置してなり、前記ヒンジピンに前記便蓋及び便座を装着して便蓋を閉じた状態において前記便座装着アームの外側側面の全体を便座装置の側方に露出させてなり、前記便座及び便蓋は、前記便座装着アーム及び便蓋装着アームを連結した状態で前記ヒンジピンから着脱可能としたことを特徴とする。
【発明の効果】
【０００８】
本発明の便座装置によれば、便座・便蓋の着脱作業を容易に行うことができ、且つ便座と便蓋を分離させることなく便座の側面全体の拭き掃除を行うことができる。
【発明を実施するための最良の形態】
【０００９】
便座装置の全体構成について説明する。図１は便座装置の平面図、図２は便蓋を閉じた状態を示す斜視図、図３は便蓋を開いた状態を示す斜視図、図４は便座を開いた状態を示す斜視図、図５は便座装置の右側面図である。なお、以下の説明で、前後左右の方向を示す場合には、図１の前後、左右の方向に基にしている。
【００１０】
便座装置は、ケーシング１０と、ケーシング１０に対して回動自在な便座２０と、ケーシング１０に対して回動自在な便蓋３０とで構成されている。
【００１１】
ケーシング１０は前方に向かって下り傾斜となる上面部１１を備え、上面部１１のほぼ中央にはケーシング１０の一部を上方に膨らませて形成した、便座２０及び便蓋３０を支持する軸支部１２を有している。軸支部１２の中央には人体検知センサ及び着座センサ３０が内蔵されている。また、ケーシング１０の前端には鉛直面からなる前端面１４を設け、前端面１４の中央部には便座装置が設置される大便器１００のボウルの内周面に沿い且つボウルの前方にわずかに突出する湾曲凹面１４ａを形成している。また、この便座装置は、ケーシング１０の内部に人体局部を洗浄する衛生洗浄機能部（図示せず）を内蔵しており、湾曲凹面１４ａの中央には、人体局部洗浄用のノズルを出し入れするための開口部を開閉自在に覆うカバー１５ａ、洗浄後の人体局部に温風を噴射する温風噴射口を開閉自在に覆うカバー１５ｂを設けている。
【００１２】
軸支部１２は断面が蒲鉾形状であり、図１３に示すように、右側内部に便座開閉装置４０を、左側内部に便蓋開閉装置５０を内蔵している。これらの開閉装置は、モータを備えた電動開閉装置あるいは便座２０・便蓋３０が閉じる際の速度を制限するダンパー装置のいずれかを採用することができる。そして、軸支部１２の左右側面から相反する方向に突出させて、便座２０及び便蓋３０を装着するヒンジピン６０Ｒ，６０Ｌを設けている。ヒンジピン６０Ｒ，６０Ｌは、便座開閉装置４０及び便蓋開閉装置５０に基端部６２Ｒ，６２Ｌが保持されて、先端部６３Ｒ，６３Ｌ側に便座２０及び／又は便蓋３０が装着される。
【００１３】
ケーシング１０の上面部１１の後方寄りには、トイレに入室した人を熱的に検知する焦電センサ１６及び便座装置に動作を指示するリモコンからの信号を受ける受信部１７を設けている。また、便座装置の状態を示す３連のＬＥＤ表示部１８を内蔵している。なお、図示しないが、ケーシング１０の側面の前方寄りにＬＥＤ照明装置を内蔵し、リモコンに光を照射している。
【００１４】
以下、便座・便蓋開閉機構について説明する。図８は便座、便蓋の着脱機構を示す断面図である。便座開閉装置４０及び便蓋開閉装置５０は、前述したように、それぞれヒンジピン６０Ｒ，６０Ｌの基端部６２Ｒ，６２Ｌを保持している。ヒンジピン６０Ｒ，６０Ｌは、図１５（ｂ）に示すように、円柱体６１Ｒ，６１Ｌの両端部を平坦面となし、先端部６３Ｒ，６３Ｌはさらにハンマー形状に膨らませている。ヒンジピン６０Ｒ，６０Ｌの円柱体６１Ｒ，６１Ｌの一部及びハンマー形状の先端部６３Ｒ，６３Ｌは、軸支部１２の左右側面をそれぞれ貫通してケーシング１０の側方に露出している。便座開閉装置４０に保持されるヒンジピン６０Ｒには、円柱体６１Ｒの途中に周方向に突き出す突出部６４Ｒを取り付けている。この突出部６４Ｒは後述するようにヒンジピン６０Ｒの回転止め及び抜け止めの役割を成す。なお、便蓋開閉装置５０に保持されるヒンジピン６０Ｌは、もう一方のヒンジピン６０Ｒよりも短寸であり、突出部６４は形成されていない。
【００１５】
次に、便蓋３０の構造について説明する。図７は、便蓋の構造を示す斜視図である。便蓋３０は、便座２０と略同じ大きさであり閉じたときに便座２０の上面を覆うカバー体３１と、カバー体３１の後方左右の下面に設けられた左右一対の便蓋装着アーム３２Ｒ，３２Ｌと、カバー体３１の下面に取り付けられて便座２０の上面に当接するクッション３３と、を備えている。カバー体３１は、その後端縁が直線状であり、便蓋３０が閉じたときに、大便器１００の前方に立っている人から見て便座２０及び軸支部１２が便蓋３０で隠れるようになっている。一対の便蓋装着アーム３２Ｒ，３２Ｌはヒンジピン６０Ｒ，６０Ｌを脱着するための切欠き３２１Ｒ，３２１Ｌを有している（図１０参照）。便蓋装着アーム３２Ｒ，３２Ｌはカバー体３１の下面に延在するので、その間を開いた空間部Ｐとすることができ、便蓋装着アーム３２Ｒ，３２Ｌを軸支部１２の左右側面に相対させるようにヒンジピン６０Ｒ，６０Ｌに装着させた状態で軸支部１２がその空間部Ｐに配置される。また、右側の便蓋装着アーム３２Ｒには後述するヒンジ部７０が左右にスライド可能に内蔵され、左側の便蓋装着アーム３２Ｌにはヒンジピン６０Ｌのハンマー形状の先端部６３Ｌを回転不能に保持するヒンジピン受け体９０が内蔵されている。そして、左側の便蓋装着アーム３２Ｌの外側面には、一方の便座装着アーム２２Ｌに差し込まれる固定軸３４が設けられている。
【００１６】
次に、便座２０の構造について説明する。図６は便座の構造を示す斜視図である。便座２０は、中央に開口を有する座面部２１と、座面部２１の後方左右に設けられた左右一対の便座装着アーム２２Ｒ，２２Ｌと、座面部２１の下面に取り付けられて大便器１００の上面に当接するクッション２３と、を備えている。また、座面部２１の内部には座面を加熱するヒータを設けている。右側の便座装着アーム２２Ｒはヒンジピン６０Ｒを脱着するための切欠き２２１Ｒを有している（図１０参照）。一対の便座装着アーム２２Ｒ，２２Ｌは座面部２１の後方に延在するので、その間を空いた空間部Ｑとすることができ、便座装着アーム２２Ｒ，２２Ｌをヒンジピン６０Ｒ及び便蓋３０の固定軸３４に装着された状態でケーシング１０の軸支部１２及び便蓋装着アーム３２Ｒ，３２Ｌがその空間部Ｑに配置されるようになっている。また、右側の便座装着アーム２２Ｒには、ヒンジ部７０の一部を回転可能に収める収納部２５Ｒが形成され、さらに収納部２５Ｒの外側面側にヒンジピン６０Ｒのハンマー形状の先端部６３Ｒを回転不能に保持するヒンジピン受け体８０が内蔵されている。左側の便座装着アーム２２Ｌには、便蓋装着アーム３２Ｌの固定軸３４を回転可能に収める収納部２５Ｌが形成されている。
【００１７】
次に、便座２０と便蓋３０を連結させる構造について説明する。図１０は便座、便蓋の連結構造を示す図である。便座２０及び便蓋３０は、便座装着アーム２２Ｒ，２２Ｌと便蓋装着アーム３２Ｒ，３２Ｌが座蓋連結部材により連結された状態でヒンジピン６０Ｒ，６０Ｌに装着されており、ヒンジピン６０Ｒ，６０Ｌからの脱着時には便座２０と便蓋３０は連結した状態である。
【００１８】
一対の便蓋装着アーム３２Ｒ，３２Ｌにはそれぞれ座蓋連結部材が設けられている。左側の便蓋装着アーム３２Ｌについては、前述した固定軸３４が座蓋連結部材に相当する。右側の便蓋装着アーム３２Ｒには、その回転中心部に左右にスライド可能とされたヒンジ部７０が座蓋連結部材に相当する。このヒンジ部７０は、ヒンジピン６０Ｒを回転自在に挿入可能な貫通孔７２を有する環状体７１の側面にヒンジピン６０Ｒの着脱用切欠き７３を形成し、環状体７１の軸支部寄り側面に２本の延出部７４を形成している。一方の延出部７４にはヒンジ部７０をスライドさせる際に操作する操作用突起７５が形成されている。この操作用突起７５を操作してヒンジ部７０を軸支部側にスライドさせるとヒンジ部７０は便蓋装着アーム３２Ｒの便座装着アーム側側面から突出せずに便座装着アーム２２Ｒに挿入されていない状態となり、軸支部１２と反対側（＝便座装着アーム２２Ｒ側）にスライドさせるとヒンジ部７０の一部が便蓋装着アーム３２Ｒの便座装着アーム側側面から突出して便座装着アーム２２Ｒの回転中心部に挿入される。このように、固定軸３４及びヒンジ部７０の一部が左右の便座装着アーム２２Ｒ，２２Ｌの回転中心部に挿入されることにより、便座装着アーム２２Ｒ，２２Ｌと便蓋装着アーム３２Ｒ，３２Ｌが連結する。なお、固定軸３４及びヒンジ部７０は、便座装着アーム２２Ｒ，２２Ｌの回転中心部に対して回転可能な状態である。
【００１９】
また、ヒンジ部７０を軸支部側にスライドさせると延出部７４が便蓋装着アーム３２Ｒの軸支部側側面から突出し、便蓋３０をヒンジピン６０Ｒに装着しようとすると延出部７４が軸支部１２に衝突するのでヒンジピン６０Ｒへの装着が不可能となる。一方、ヒンジ部７０を軸支部１２と反対側（＝便座装着アーム側）にスライドさせると延出部７４が便蓋装着アーム３２Ｒの軸支部側側面から突出しない状態となるので、便蓋３０をヒンジピン６０Ｒに装着することが可能となる。なお、ヒンジ部７０を軸支部側にスライドさせても延出部７４が便蓋装着アーム３２Ｒから突出しないようにしてもよい。
【００２０】
また、ヒンジ部７０を便蓋装着アーム３２Ｒに組み込んだ後に便蓋装着アーム３２Ｒに抜け止め部材３５を取り付け、また、ヒンジ部７０を便座装着アーム側に最大限にスライドさせた状態で操作用突起７５を便蓋装着アーム３２Ｒの一部に係合させることで、ヒンジ部７０が便蓋装着アーム３２Ｒの左右側面から抜けないようにしている。
【００２１】
次に、便座２０と便蓋３０をケーシング１０から着脱する構造について説明する。図１１〜図１４は、便座２０、便蓋３０をケーシング１０（ヒンジピン６０）から取り外し、さらに再度装着する様子を示す図である。図１１は便座・便蓋をケーシングから取り外す様子を示す正面図、図１２は便座・便蓋をケーシングから取り外した状態を示す斜視図、図１３は便座・便蓋をケーシングに装着する様子を示す正面図、図１４は便座・便蓋をケーシングから取り外して大便器の上に置いた状態を示す斜視図である。
【００２２】
便座２０と便蓋３０を連結させた状態でケーシング１０から（ヒンジピン６０Ｒ，６０Ｌから）着脱させる。前述したとおり、右側の便座装着アーム２２Ｒ及び左側の便蓋装着アーム３２Ｌは、ヒンジピン受け体８０，９０を内蔵している。右側の便座装着アーム２２Ｒに設けたヒンジピン受け体８０は、内部にヒンジピン６０Ｒのハンマー形状の先端部６３Ｒを回転不能に保持する保持部８１と、ヒンジピン６０Ｒを保持部８１から抜くために当該保持部８１を部分的に切り欠いて形成した開口部８２を有している。開口部８２の直下には、便座装着アーム２２Ｒからヒンジピン６０Ｒの軸方向に突き出した軸２６にコイルバネ２７を介して取り付けた左右に移動可能な第一保持体２８を配置している。この第一保持体２８は、通常はコイルバネ２７の付勢力により開口部８２を塞いでおり、ヒンジピン６０Ｒが抜けないように保持している。また、第一保持体２８の先端は円弧状断面のガイド部２８１とし、第一保持体２８の一部を操作部２８２としている。
【００２３】
左側の便蓋装着アーム３２Ｌに設けたヒンジピン受け体９０は、やはり、内部にヒンジピン６０Ｌのハンマー形状の先端部６３Ｌを回転不能に保持する保持部９１と、ヒンジピン６０Ｌを保持部９１から抜くために当該保持部９１を部分的に切り欠いて形成した開口部９２を有している。開口部９２の直下には、便蓋装着アーム３２Ｌからヒンジピン６０Ｌの軸方向に突き出した軸３６にコイルバネ３７を介して取り付けた左右に移動可能な第二保持体３８を配置している。この第二保持体３８は、通常はコイルバネ３７の付勢力により開口部９２を塞いでおり、ヒンジピン６０Ｌが抜けないように保持している。また、第二保持体３８の先端は、円弧状断面のガイド部３８１となっている。
【００２４】
便座２０及び便蓋３０は、前述したように、両者を連結させた状態でのみヒンジピン６０Ｒ，６０Ｌへの着脱が可能である。
【００２５】
便座２０及び便蓋３０を装着する際には、第一保持体２８及び第二保持体３８のガイド部２８１，３８１の円弧面にヒンジピン６０Ｒ，６０Ｌのハンマー形状の先端部６３Ｒ，６３Ｌを突き当てた状態とし、便座２０及び便蓋３０を真下に下ろす。すると、左右のガイド部２８１，３８１がコイルバネ２７，３７を圧縮させて左右に開くので、ヒンジピン受け体８０，９０の保持部８１，９１の開口部８２，９２が露呈し、保持部８１，９１にヒンジピン６０Ｒ，６０Ｌの先端部６３Ｒ，６３Ｌが格納される。ヒンジピン６０Ｒ，６０Ｌが装着された後は、コイルバネ２７，３７の付勢力により第一保持体２８及び第二保持体３８は元の位置に戻り開口部８２，９２を塞ぎ、ヒンジピン６０Ｒ，６０Ｌを保持する。
【００２６】
便座２０及び便蓋３０を取り外す際には、右側の便座装着アーム２２Ｒに設けられた第一保持体２８の操作部２８２を、コイルバネが圧縮する方向に指で開くと保持部８１の開口部８２が露呈するので、便座２０及び便蓋３０の右側を持ち上げてヒンジピン６０Ｒをヒンジピン受け体８０の保持部８１から外す。すると、便座２０の右側がヒンジピン６０Ｒから外れた自由端となるので、便蓋装着アーム３２Ｌの保持部９１からもヒンジピン６０Ｌが外れるようになる。
【００２７】
このようにして、便座２０及び便蓋３０をケーシング１０（ヒンジピン６０Ｒ，６０Ｌ）に装着し、また取り外しを行うことができる。
【００２８】
次に、便座２０の開き過ぎ防止構造及びヒンジピン６０Ｒ，６０Ｌの抜け止め構造について説明する。図１６はヒンジピンによる便座の開き過ぎ防止機構及びヒンジピンの抜け止め防止機構を示す図である。ケーシング１０には、通常、便座２０の開き過ぎ防止のために、便座２０がある角度まで開くとその一部が当接してその角度以上開くのを規制するストッパーを備えている。しかし、本実施形態においては、ケーシング１０の上面部１１はその全体が傾斜面となっているため、ストッパーが設けにくい構造である。
【００２９】
そこで、本実施形態においては、便座２０に回転不能に係合するヒンジピン６０Ｒとケーシング１０との間でストッパー機能を発揮するようにしている。前述したようにヒンジピン６０Ｒは、その円柱体６１の途中に周方向に突き出す突出部６４を設けている。ヒンジピン６０Ｒの基端部６２Ｒが差し込まれるケーシング１０の軸支部１２の側面には、ケーシング１０に一体的に固定される軸受部１２１Ｒ，１２１Ｌを設けている。右側の軸受部１２１Ｒは、ヒンジピン６０Ｒの円柱体６１及び突出部６４を差し込み可能な貫通孔１２２をあけた壁部１２３を有すると共に、ヒンジピン６０Ｒが所定の角度まで回転すると突出部６４が突き当たる突状部１２４を点対称となる位置に２個有している。ヒンジピン６０Ｒは、この軸受部１２１Ｒの貫通孔１２２に突出部６４を差し込ませて基端部６２Ｒを便座開閉装置４０に保持させる。なお、軸受部１２１Ｒ，１２１Ｌは、ケーシング１０と一体化させてもよい。
【００３０】
ヒンジピン６０Ｒに便座２０及び便蓋３０を装着させて、便座２０、便蓋３０を開くとそれに伴いヒンジピン６０Ｒが回転する。ヒンジピン６０Ｒが回転すると軸受部１２１Ｒの内部で突出部６４が回転して突状部１２４に当接する。すると、ヒンジピン６０Ｒはそれ以上回転しなくなる。すなわち、便座２０の開き過ぎを防止する機構が得られる。また、ヒンジピン６０Ｒの突出部６４が軸受部１２１Ｒの壁部１２３に邪魔されて、ヒンジピン６０Ｒの抜け止めがなされる。
【００３１】
このように、ヒンジピン６０Ｒの周方向に突き出させた突出部６４が、便座２０の開き過ぎ防止機構とヒンジピン６０Ｒの抜け止め防止機構を兼用する役目を有している。
【００３２】
なお、左側のヒンジピン６０Ｌについても、同様の構成とすることができる。また、軸受部１２１Ｌにヒンジピン６０Ｌの外周を挟持する複数のリブを設けてヒンジピン６０Ｌを抜けにくくするようにしてもよい。
【００３３】
以上説明したように、本実施形態の便座装置は、図３のように、軸支部１２のヒンジピン６０Ｒ，６０Ｌに対して、便蓋装着アーム３２Ｒ，３２Ｌを内側に、便座装着アーム２２Ｒ，２２Ｌを外側の位置にして装着させている。このため、便座２０の側面は、便蓋３０の側面に邪魔されることなく、常に側方に露出した状態である。
【００３４】
そのために、ケーシング１０の側面と、便座２０の側面及び便蓋３０の側面を同一平面上に揃えることができる。よって、便座装置を拭き掃除する際に、従来、便座の側面の回転中心部位が便蓋で覆われているため、ヒンジピン６０Ｒ，６０Ｌから外さない限り隅々まで拭き掃除することができなかったのに対し、本実施形態では便座２０及び便蓋３０の側面が共に露出しているので、便座２０及び便蓋３０をヒンジピン６０Ｒ，６０Ｌに装着した状態においてサッと一拭きすることで細かな部分まで拭くことができるので、良好な清掃性が得られる。
【００３５】
また、便蓋３０が便座２０の側面を覆わないので、便蓋３０の薄さが目立ち、軽快な印象を抱かせることができる。
【００３６】
さらに、便座装着アーム２２を便蓋装着アーム３２より外方に配置しているので、便座２０の座面部２１は傾斜がきつくなる便座装着アーム近傍領域を便座の側方端部に寄せることにより、使用者が便座２０に座ったときに便座装着アーム２２付近の傾斜が臀部に当たることが少なくなり、従来よりも良好な座り心地を得ることができる。
【００３７】
また、本実施形態の便座装置は、便座装着アーム２２Ｒ，２２Ｌの内側に便蓋装着アーム３２Ｒ，３２Ｌを配置したため、便座２０の座面部２１の直ぐ直後に便蓋装着アーム３２Ｒ，３２Ｌが位置することになる。ケーシング１０の軸支部１２と便座装着アーム２２Ｒ，２２Ｌの間に便蓋装着アーム３２Ｒ，３２Ｌが位置するので、軸支部１２と便座装着アーム２２Ｒ，２２Ｌの間に便座２０に着座した人の臀部を落とし込むことがないように、軸支部１２の左右側面にはヒンジピン６０Ｒ，６０Ｌの下方から前方を囲む壁体１３が形成されている。（図１４参照）
【００３８】
この壁体１３は、軸支部１２の側面に連続して成形され、便蓋装着アーム３２Ｒ，３２Ｌと便座２０の座面部２１の後部との隙間を埋めるように設けられて、閉じた状態の便座２０の座面部２１の後部上端よりも上方に伸び、便蓋装着アーム３２Ｒ，３２Ｌの外周に沿う円弧面を上面１３１に備えた中空の略三角断面形状である。壁体１３の上端縁１３２は、便座２０を閉じた状態においては、便蓋装着アーム３２Ｒ，３２Ｌとの間にわずかな隙間しか存在しない。そのため、体格の大きな人が便座２０に座り、臀部が便蓋装着アーム３２Ｒ，３２Ｌに達したとしても、便蓋装着アーム３２Ｒ，３２Ｌと便座２０の座面部２１の間の隙間に臀部を落とし込むようなことはない。
【００３９】
また、壁体１３には、便座２０に内蔵したヒータに給電するための便座コード２９を内蔵している。便座コード２９は、壁体１３の外側面に設けた開口１３３から取り出されて便座内のヒータに接続されている。便座２０の内部には、便座コード２９の一部を引き出し可能に収納する収納部（図示せず）を有しており、便座２０及び便蓋３０をケーシング１０から外すとそれに伴い便座コード２９が引き出されて便座２０を移動させることが可能となる。この場合にも、便座コード２９を引き出す開口１３３が便蓋装着アーム３２Ｌを超えて便座装着アーム２２Ｒ，２２Ｌに隣接した位置となる壁体１３の外側面にあるので、便蓋３０の開閉により便座コードの表面を擦って傷つけるようなことはない。
【００４０】
以上説明したように、本実施形態の便座装置によれば、便座の外側側面の全体が便座装置の外側に露出しているので、便座と便蓋を分離させることなく便座の側面全体の拭き掃除を行うことができる。
【００４１】
また、右側の操作部のみを操作しながら便座・便蓋を持ち上げれば便座・便蓋をヒンジピンから外すことができるので、便座・便蓋の着脱作業がいっそう容易になった。
【００４２】
さらに、便座装着アームより内側に配置された便蓋装着アームと便座後端の隙間を埋める壁体を設けたので、便座に着座した人の臀部を当該隙間に落ち込むようなことがなく、座り心地を保つことができる。
【００４３】
なお、便座の加熱方法として、本実施形態では座面部２１に内蔵させたヒータとしたが、ケーシング１０に内蔵させた温風発生源から温風を便座内に循環させる方式としてもよい。
【図面の簡単な説明】
【００４４】
【図１】本発明の便座装置の平面図
【図２】本発明の便座装置の便蓋を閉じた状態を示す斜視図
【図３】本発明の便座装置の便蓋を開いた状態を示す斜視図
【図４】本発明の便座装置の便座を開いた状態を示す斜視図
【図５】本発明の便座装置の右側面図
【図６】本発明の便座装置における便座の構造を示す斜視図
【図７】本発明の便座装置における便蓋の構造を示す斜視図
【図８】本発明の便座装置における便座、便蓋の着脱機構を示す断面図
【図９】本発明の便座装置におけるヒンジピン受け体を示す図
【図１０】本発明の便座装置における便座、便蓋の連結構造を示す図
【図１１】本発明の便座装置において、便座・便蓋をケーシングから取り外す様子を示す正面図
【図１２】本発明の便座装置において、便座・便蓋をケーシングから取り外した状態を示す斜視図
【図１３】本発明の便座装置において、便座・便蓋をケーシングに装着する様子を示す正面図
【図１４】本発明の便座装置において、便座・便蓋をケーシングから取り外して大便器の上に置いた状態を示す斜視図
【図１５】本発明の便座装置におけるヒンジピンを示す斜視図
【図１６】本発明の便座装置における、ヒンジピンによる便座の開き過ぎ防止機構及びヒンジピンの抜け止め防止機構を示す図
【符号の説明】
【００４５】
１０  ケーシング
１２  軸支部
１３  壁体
２０  便座
２２（２２Ｒ，２２Ｌ）  便座装着アーム
２８  第一保持体
３０  便蓋
３２（３２Ｒ，３２Ｌ）  便蓋装着アーム
４０  便座開閉装置
５０  便蓋開閉装置
６０（６０Ｒ，６０Ｌ）  ヒンジピン
６２  基端部
６３  先端部
７０  連結部材
７５  操作用突起
８２  開口部
１２３  壁部（抜け止め防止壁）
１２４  突状部（ストッパー機構）
Ｑ  空間部
【図１】
2008148869.tif 000003
【図２】
2008148869.tif 000004
【図３】
2008148869.tif 000005
【図４】
2008148869.tif 000006
【図５】
2008148869.tif 000007
【図６】
2008148869.tif 000008
【図７】
2008148869.tif 000009
【図９】
2008148869.tif 000010
【図１１】
2008148869.tif 000011
【図１２】
2008148869.tif 000012
【図１３】
2008148869.tif 000013
【図１４】
2008148869.tif 000014
【図１６】
2008148869.tif 000015
【図８】
2008148869.tif 000016
【図１０】
2008148869.tif 000017
【図１５】
2008148869.tif 000018